(57)【要約】【課題】子母式釘の提供。【解決手段】本発明は、子母式釘に関し、特に母釘上に子釘が設けられて固定性を強める効果を有する子母式釘と指す。それは、母釘及び少なくとも一つの子釘により構成し、当該母釘はその釘体に作用段を設け、その作用段の上に少なくとも一つ以上のフランジを設け、各フランジ間の縦方向の相対位置に一つ以上のノッチを設けることで少なくとも一つの子釘収容溝を構成し、少なくとも一つの子釘を収容する。当該子釘の上端には当該母釘の釘体表面と連接する連接段を設け、その釘尖は傾斜面を有する。また釘体の外側面は少なくとも一つのノッチを設け、釘体を金属板体に射入させた後、ちょうど任意の二つの上、下のフランジの間に固定して制限され、また当該子釘の一側の湾曲を利用して仕切板の内部に挿入するか、当該子釘の硬化処理により、子、母釘は直接に金属板体に貫通でき、固定性を高め及び緩みを防止するもの。【選択図】図３
2008019997.tif 000002
【特許請求の範囲】
【請求項１】
それは一つの母釘と少なくとも一つの子釘により構成され、その中、
当該母釘は、その釘体上に作用段を設け、当該作用段は、当該釘体表面に沿って少なくとも一つ以上のフランジを設け、
当該子釘の釘体は、当該母釘の釘体表面と連接する連接段を設けることを特徴とする子母式釘。
【請求項２】
当該作用段は、少なくとも一つ以上の子釘収容溝を有し、それは各フランジ間の縦方向の相対位置に設けられた一つ以上のノッチで構成されることを特徴とする請求項１記載の子母式釘。
【請求項３】
当該作用段上の各フランジ間の間隔は、金属板体の板体の厚さと約等しいまたはやや小さいことを特徴とする請求項１記載の子母式釘。
【請求項４】
当該作用段上の各フランジは、釘体の表面に突き出したねじ山に沿って構成され、各ねじ山をそのフランジとすることを特徴とする請求項１記載の子母式釘。
【請求項５】
当該作用段上の各フランジの断面は、傾くＶ形であることを特徴とする請求項１記載の子母式釘。
【請求項６】
当該子釘の釘尖は、傾斜面を有することを特徴とする請求項１記載の子母式釘。
【請求項７】
当該子釘の外側は、ノッチを設けることを特徴とする請求項１記載の子母式釘。
【請求項８】
当該母釘の硬度は、当該打ち込まれた金属板体の硬度より大きいことを特徴とする請求項１記載の子母式釘。
【請求項９】
当該子釘の連接段は当該母釘の釘体表面に連接され、且つ当該子釘と母釘は縦方向で隣接されて並んでいることを特徴とする請求項１記載の子母式釘。
【発明の詳細な説明】
【技術分野】
【０００１】
本発明は、子母式釘に関し、特に母釘上に子釘が設けられて固定性を強める効果が有する子母式釘と指す。
【背景技術】
【０００２】
図１は従来式釘の実施例を示す図である。それは釘５の射入することにより、仕切板６及び金属板体７を相互に結び付けさせる。しかしながら、従来の釘５は、その釘体５０のねじ山の外径は大部分同じ寸法であるため、且つ他の補強設計がないため、釘５の射入後に、ゆらゆらすることが起こりやすく、当該仕切板６及び金属板体７の安定性に影響を与え、当該仕切板６と金属板体７の間の脱落を引き起こす。
【発明の開示】
【発明が解決しようとする課題】
【０００３】
上記の欠点を解決するために、本願の発明者は子母式釘を提出する。本発明の目的は固定効果を強める子母式釘を提供する。それは一つの母釘と少なくとも一つの子釘を含み、当該母釘は、釘体に作用段を設け、当該作用段は当該釘体表面に沿って少なくとも一つ以上のフランジを設け、且つ各フランジ間の間隔は、打ち込まれた金属板体の板厚と約等しいまたはやや小さく、当該母釘が金属板体に射入した後、ちょうど任意の二つ上、下フランジの間に固定して制限される。
【０００４】
本発明の母釘は、その釘体表面上において、各フランジ間の縦方向の相対位置には各一つ以上のノッチを設け、これにより少なくとも一つの子釘収容溝を構成して子釘を収容する。当該子釘の上端に当該母釘の釘体表面と連接する連接段が設けられる。
【０００５】
上述した本発明の子釘の釘尖が傾斜面を有して、また釘体の外側面は少なくとも一つのノッチを設ける。
【０００６】
上述した本発明の母釘は、その作用段上の各フランジの直径が上から下へやや小さくなり、それにより、板体へ射入するときの固定性を高めることができ、脱落を防止することできる。
【０００７】
上述した本発明の子釘の下段は母釘と連接しなく、且つ子釘は母釘と縦方向を呈して並んで、子母釘が仕切板に射入して金属板体に入った時、当該母釘の硬度は比較的に高いため、金属板体を貫通できるが、子釘の硬度は比較的に低くて、それを釘尖傾斜面の導き及びノッチにより弱化させることによって、子釘が外側へ湾曲し、且つ母釘が打ち込んだ作用力の慣性により、更に子釘を曲折して仕切板の内部に貫通させ、仕切板と金属板体の固定効果を強めることができる。
【０００８】
また本発明のフランジは、更に釘体表面の突き出したねじに沿って構成でき、且つ当該ねじの各ねじ山はフランジを形成し、当該各のフランジの断面は更に傾くＶ形となることができる。
【０００９】
また本発明の子釘は、硬化処理を経由することで硬度を高めることができ、金属板体への射入後、子釘、母釘は直接に金属板体を貫通することで、固定効果を強める。
【００１０】
上記の結構により、本発明の効果は、よい固定性を持ち且つ異なっている厚さの仕切板に応用できる子母式釘を提供する。それにより、従来の釘が板体に打ち込んだ後にゆらゆらと揺れることを有効に解決し、これは本発明が達成する効果である。
【課題を解決するための手段】
【００１１】
請求項１の発明は、それは一つの母釘と少なくとも一つの子釘により構成され、その中、
当該母釘は、その釘体上に作用段を設け、当該作用段は、当該釘体表面に沿って少なくとも一つ以上のフランジを設け、
当該子釘の釘体は、当該母釘の釘体表面と連接する連接段を設けることを特徴とする子母式釘としている。
請求項２の発明は、当該作用段は、少なくとも一つ以上の子釘収容溝を有し、それは各フランジ間の縦方向の相対位置に設けられた一つ以上のノッチで構成されることを特徴とする請求項１記載の子母式釘としている。
請求項３の発明は、当該作用段上の各フランジ間の間隔は、金属板体の板体の厚さと約等しいまたはやや小さいことを特徴とする請求項１記載の子母式釘としている
請求項４の発明は、当該作用段上の各フランジは、釘体の表面に突き出したねじ山に沿って構成され、各ねじ山をそのフランジとすることを特徴とする請求項１記載の子母式釘としている。
請求項５の発明は、当該作用段上の各フランジの断面は、傾くＶ形であることを特徴とする請求項１記載の子母式釘としている。
請求項６の発明は、当該子釘の釘尖は、傾斜面を有することを特徴とする請求項１記載の子母式釘としている。
請求項７の発明は、当該子釘の外側は、ノッチを設けることを特徴とする請求項１記載の子母式釘としている。
請求項８の発明は、当該母釘の硬度は、当該打ち込まれた金属板体の硬度より大きいことを特徴とする請求項１記載の子母式釘としている。
請求項９の発明は、当該子釘の連接段は当該母釘の釘体表面に連接され、且つ当該子釘と母釘は縦方向で隣接されて並んでいることを特徴とする請求項１記載の子母式釘としている。
【発明の効果】
【００１２】
本発明は子母式釘、固結の強化及び確かの定位の効果を有し、有効に従来釘の単一桿の固定効果がよくない問題を解決できる。
【発明を実施するための最良の形態】
【００１３】
図１、２、３、及び４に示すように参照すること。本発明は、母釘１及び少なくとも一つの子釘２を含み、その中：当該母釘１は、その釘体１０上に作用段１１を設けて、当該作用段１１は、当該釘体１０に沿って、その釘体表面１００少なくとも一つ以上のフランジ１１１を設け、また各フランジ１１１間の間隔Ｐは、打ち込まれた金属板体３の板厚Ｔと約等しいまたはやや小さい。各上、下フランジ１１１間の縦方向の相対位置に少なくとも一つ以上のノッチＡを設け、少なくとも一つの子釘収容溝１１２を構成する。
【００１４】
当該子釘２の釘体２０の上端は、当該母釘１の釘体表面１００と連接する連接段Ｂを設け、当該子釘２の釘尖２０１は傾斜面２０２を有し、また当該子釘２の外側面は、ノッチ２０３を設け、それにより当該子釘２の強度を弱化させる。
【００１５】
上記の結構に、当該母釘１作用段１１の凸１１１断面はねじ山の形状或るいは傾くＶ形のフランジでもあって、各フランジ間１１１間の間隔Ｐの表面は、傾斜する錐形を呈して、その作用は、釘体１０が金属板体３に射入した後、ちょうど任意の二つフランジ１１１の間に固定して制限され、上端ｄ１の直径は下端直径ｄ２より大きく、即ち、母釘１の作用段１１の各フランジ１１１直径が上から下へやや小さくなり、それにより、固定性を高めて及び脱落を防止することできる。
【００１６】
図６に示すように参照して、子釘２の連接段Ｂは、母釘１の釘体表面１００に連接して、子釘２をその子釘収容溝１１２（図５に示すよう）に収容させる。しかしながら、子釘２の下端は母釘１と連接しないように保持し、当該子釘２、母釘１は、縦方向で隣接して並んで、子母釘が仕切板４に射入して金属板体３に入った時、母釘１の硬度は、金属板体３より高いため、金属板体３に貫通できるが、子釘１の硬度が金属板体３より低いため、側へ曲折される。この時、母釘２の釘尖２０１の傾斜面２０２は、導きが設けられてそれを外側へ曲折させ、また釘体２０の外側に設けられたノッチ２０３はもう子釘２の強度を弱化させたため、子釘２は導かれてその一側の設定方向へ曲折し、仕切板４の内部（図７に示すように）に挿入する。それにより、仕切板４と金属板体３の固定を強めることができる。
【００１７】
また、本発明の子釘１は硬化処理を経由して硬度を高め、その硬度を当該金属板体３より高くさせることができる。釘を打つ時、母釘１に連れられて直接金属板体３に貫通し（図８に示すように）、良好な安定性の効果が得られる。
【００１８】
さらに図９、１０を参照すること。本発明は、更に各式異なっている厚さの仕切板に適用でき、即ち、母釘１’に多数の子釘２’、２“を連接する実施方式で、当該子釘２’、２“は、異なる長さを設置し、仕切板４’の厚さが比較的に大きい場合、その中の比較的に長い子釘２’は依然として固結効果を強化することが発揮できる。即ち、図７の実施例に示すように、比較的に長い子釘２’を、曲折して仕切板４’の内部に挿入させ、或いは子釘２’にあらかじめ硬化処理を行い、母釘１’に連れられて金属板体３’（これは図８の実施例と同じ）を貫通でき、それらのすべては良好な安定性の効果を得られる。
【００１９】
上記の記載により、本発明は、固結の強化及び確かの定位の効果を有し、有効に従来釘の単一桿の固定効果がよくない問題を解決できる。
【図面の簡単な説明】
【００２０】
【図１】従来の釘の断面を示す図である。
【図２】本発明の立体分解図である。
【図３】本発明の立体外観図である。
【図４】本発明の平面組合を示す図である。
【図５】本発明の横方向の断面を示す図である。
【図６】本発明の実施例図（一）である。
【図７】本発明の実施例図（二）である。
【図８】本発明の実施例図（三）である。
【図９】本発明が各式異なる厚さの仕切板に適用する実施例図（一）である。
【図１０】本発明が各式異なる厚さの仕切板に適用する実施例図（二）である。
【符号の説明】
【００２１】
１、１’  母釘
１０、２０、５０  釘体
１００  釘体表面
１１  作用段
１１１  フランジ
１１２  子釘収容溝
２、２“、２’ 子釘
２０１  釘尖
２０２  傾斜面
２０３、Ａ  ノッチ
３、３’、７  金属板体
４、４’、６  仕切板  
Ｂ  連接段  
ｄ１、ｄ２  直径
Ｐ  間隔  
Ｔ  板体の厚さ
５  釘  
【図１】
2008019997.tif 000003
【図２】
2008019997.tif 000004
【図３】
2008019997.tif 000005
【図４】
2008019997.tif 000006
【図５】
2008019997.tif 000007
【図６】
2008019997.tif 000008
【図７】
2008019997.tif 000009
【図８】
2008019997.tif 000010
【図９】
2008019997.tif 000011
【図１０】
2008019997.tif 000012